(57)【要約】【課題】配電部の接続の状態や接続部における作業を安全に行えるようにすること。【解決手段】配電機器２が収納される箱本体１１の開口を閉塞するように取り付けられる内扉３を備え、前記内扉３には、配電機器２に対して負荷が接続される端子部２１ｂ及び／又は電源が接続される端子部２１ａの対応位置に開口部３１を備え、前記開口部３１を覆うように形成された透明板カバー５を内扉３に着脱可能に備えた構成とする。【選択図】図５
2018129873.tif 000002
【特許請求の範囲】
【請求項１】
配電機器が収納される箱本体の開口を閉塞するように取り付けられる内扉を備え、
前記内扉には、配電機器に対して負荷が接続される端子部及び／又は電源が接続される端子部の対応位置に開口部を備え、
前記開口部を覆うように形成された透明板カバーを内扉に着脱可能に備えた分電盤。
【請求項２】
配電機器を開閉するためのハンドルを露出するハンドル露出用開口を透明板カバーに備えた請求項１に記載の分電盤。
【請求項３】
開口部が複数の配電機器の列に渡って設けられた請求項２に記載の分電盤。
【請求項４】
透明板カバーには、配電機器の端子部の対応位置に孔部を形成した請求項１乃至３の何れかに記載の分電盤。
【請求項５】
複数の配電機器からなる集合体ごとに、透明板カバーが複数の透明板から形成される請求項１乃至４の何れかに記載の分電盤。
【発明の詳細な説明】
【技術分野】
【０００１】
本発明は、分電盤に関するものである。
【背景技術】
【０００２】
充電保護カバーなどと称される内扉を分電盤に設けることは知られている。特許文献１に記載されているように、このような内扉には、配電機器のハンドルの操作や、漏電表示ボタンの視認をできるようにするために開口が設けられている。しかし、これらの作業のみをできる程度にしか開口は設けられておらず、配電機器の接続部の状態の確認や、接続部が締まっているのかの確認や、増し締め作業に際して、内扉を開ける必要があった。
【先行技術文献】
【特許文献】
【０００３】
【特許文献１】特開２０１２−１２５００８号公報
【０００４】
ところで、内扉を開くことにより、全ての機器が露出すると、不必要な機器に触れてしまう虞がある。このため、安全性が確保できない虞があった。
【発明の概要】
【発明が解決しようとする課題】
【０００５】
本件の発明者は、この点について鋭意検討することにより、解決を試みた。本発明の課題は、配電部の接続の状態や接続部における作業を安全に行えるようにすることである。
【課題を解決するための手段】
【０００６】
上記課題を解決するため、配電機器が収納される箱本体の開口を閉塞するように取り付けられる内扉を備え、前記内扉には、配電機器に対して負荷が接続される端子部及び／又は電源が接続される端子部の対応位置に開口部を備え、前記開口部を覆うように形成された透明板カバーを内扉に着脱可能に備えた分電盤とする。
【０００７】
配電機器を開閉するためのハンドルを露出するハンドル露出用開口を透明板カバーに備えた構成とすることが好ましい。
【０００８】
開口部が複数の配電機器の列に渡って設けられた構成とすることが好ましい。
【０００９】
透明板カバーには、配電機器の端子部の対応位置に孔部を形成した構成とすることが好ましい。
【００１０】
複数の配電機器からなる集合体ごとに、透明板カバーが複数の透明板から形成される構成とすることが好ましい。
【発明の効果】
【００１１】
本発明では、配電部の接続の状態や接続部における作業を安全に行えるようにすることが可能となる。
【図面の簡単な説明】
【００１２】
【図１】分電盤の斜視図である。
【図２】分電盤から内機を取り外した状態を示す斜視図である。
【図３】内機の内扉を開いた状態を示す斜視図である。
【図４】内扉及び内扉の正面側に位置する部品の分解斜視図である。
【図５】分電盤の正面図である。ただし、扉及び扉用蝶番は省略している。
【図６】分電盤の正面図である。ただし、扉及び扉用蝶番は省略している。また、透明板カバー越しに見える部品等を省いて表している。
【図７】二系統またがるように一枚の透明板カバーを取り付けた分電盤の正面図である。ただし、扉及び扉用蝶番は省略している。
【図８】二系統またがるように一枚の透明板カバーを取り付けた分電盤の正面図である。ただし、扉及び扉用蝶番は省略している。また、透明板カバー越しに見える部品等を省いて表している。
【図９】系統毎に透明板カバーを取り付けた分電盤の正面図である。ただし、扉及び扉用蝶番は省略している。また、透明板カバー越しに見える部品等を省いて表している。
【発明を実施するための形態】
【００１３】
以下に発明を実施するための形態を示す。本実施形態の分電盤１は、複数の配電機器２が収納される箱本体１１の開口１２を閉塞するように取り付けられる内扉３を備えている。また、この内扉３には、配電機器２に対して負荷が接続される端子部２１ｂ及び／又は電源が接続される端子部２１ａの対応位置に開口部３１を備えている。更には、この開口部３１を覆うように形成された透明板カバー５を内扉３に着脱可能に備えている。このため、配電部の接続の状態や接続部における作業を安全に行えるようにすることが可能である。
【００１４】
ここで、分電盤１の構造について説明する。図１及び図２に示すことから理解されるように、開口１２を備えた箱本体１１と、箱本体１１の開口１２を覆うことが可能であり、分電盤１の外形の一部を形成する扉１３を備えている。分電盤１の内部には内機１４が備えられている。図３に示すように、内機１４には、配電機器２などを取り付ける内機取付板１５を備えている。本実施形態の内機取付板１５は取付レール１６を介して、箱本体１１に取り付けられている。また、分電盤１は、配電機器２（主幹ブレーカや分岐ブレーカ等）などを覆うように位置することが可能な内扉３を備えている。本実施形態の内扉３は、内機取付板１５に対して回動可能に取り付けられており、内扉３が閉じた状態において支持ラッチ３２により内扉３が閉じた状態を維持できるように構成されている。
【００１５】
本実施形態は配線が接続される電源側端子部２１ａと負荷側端子部２１ｂを備えた分岐ブレーカを配電機器２として備えている。この電源側端子部２１ａは配線がネジ止め接続されるねじ端子部であり、電源側端子部２１ａにプラグ端子部に変換するプラグ変換部１８が形成されており、プラグ変換部１８のプラグ端子部を母線バー１７に差込接続されて使用されるものである。
【００１６】
図４に示すように、内扉３には開口部３１が備えられているが、この開口部３１は、内扉３を閉じた状態において、配電機器２に対して負荷及び／又は電源が接続される端子部２１に面する位置を含むように設けられている。図４に示す例においては、横長の開口部３１と縦長の開口部３１が設けられている。配電機器２と面する開口部３１を覆うために透明板カバー５が取り付けられる。透明板カバー５は内扉３に対して着脱可能であり、配電機器２の開閉操作に使用するハンドル２２と面する箇所にはハンドル露出用開口５１が設けられている。ハンドル露出用開口５１を透明板カバー５に備えた構成であると、透明板カバー５を取り付けた状態でハンドル２２を操作することが可能となる。
【００１７】
また、本実施形態では、各列の機器の名称を示す負荷名称ホルダ９１を、透明板カバー５に着脱可能としている。この負荷名称ホルダ９１は、上下に位置するホルダ係止部材９２を用いて透明板カバー５に固定することができる。そのため、負荷名称ホルダ９１を着脱すると、母線バー１７の状態やプラグ変換部１８のプラグ端子部の母線バー１７への接続状態が内扉３を閉じた状態で確認することができる。なお、通常時は、負荷名称ホルダ９１は透明板カバー５に固定されているため、母線バー１７を被覆するように形成されている。
【００１８】
開口部３１が透明板カバー５に覆われた状態は、図５に示すようなものとなり、内扉３を閉じた状態においても、負荷が接続される端子部２１ｂや電源が接続される端子部２１ａを視認することが可能となるうえ、内扉３は開かないためそれらには触れにくい構成となっている。このため、安全を確保して端子部２１の目視点検をすることができる。なお、透明板カバー５は、開口部３１よりも幅広に設けられており、幅広とした部位に内扉３との固定部としてラッチ８１を備えた構成としている。
【００１９】
また、本実施形態においては、開口部３１が複数の配電機器２の列に渡って設けられている。したがって、多くの端子部２１を目視することが可能となる。なお、本実施形態では配電機器２である分岐ブレーカの複数の列に渡って開口部３１が設けられている。本実施形態における開口部３１は、二列に形成した配電機器２に渡ってように形成しているが、開口部３１は、三列以上の複数列に形成した配電機器２を臨むように設けるものとしても良い。また、列ごとに開口部３１を設けておくものとしても良い。なお、配電機器２を臨む開口部３１は１つの開口で構成しても良いし、複数の開口により構成しても良い。
【００２０】
また、図６に示すように、透明板カバー５には、配電機器の端子部２１の対応位置に孔部５２を形成している。したがって、テスターなどの点検器具を挿入して点検することができる。また、孔部５２は点検器具の先端のみを挿入可能な大きさとすれば、点検を安全かつ適切に行うことができる。なお、透明板カバー５が無色透明であることから、点検器具と端子部２１が接触していることなども目視しやすいものとなっている。
【００２１】
また、一つの母線バー１７に接続される配電機器２などを一つの系統とした際、複数の系統を一枚の透明板カバー５で覆う構造とすることも可能である。この状態を図７及び図８に例示するが、図７は透明板カバー５越しに見える分岐ブレーカなどを表しており、図８は透明板カバー５の外形が理解できるように、透明板カバー５越しに見える部品等を省いて表している。
【００２２】
また、分岐ブレーカと臨む開口部３１を覆う透明板カバー５が複数の分岐ブレーカからなる集合体ごとに形成した複数の透明板から形成されるものとすることも可能である。この場合、例えば、複数の系統を複数の透明板で覆う構造とすることも可能である。図９に示す例においては、二系統に対して二枚の透明板を取り付けた構成としている。複数の透明板で開口部３１を覆う構成とすると、保守作業を行う際に、透明板で覆われている部分を残したまま、必要箇所だけ透明板を取り外した状態とすることができる。
【００２３】
以上、いくつかの実施形態を中心に説明してきたが、本発明は上記実施形態に限定されることはなく、各種の態様とすることが可能である。例えば、透明板カバーは無色透明のアクリル板で形成しているがガラスにすることも可能である。ただし、透明板カバーがアクリルの場合、軽くすることができる、ラッチ等で固定でき着脱を容易にすることが可能となる。なお、アクリル板を用いた場合でもネジ固定するものとできることは勿論のことである。また、透明板カバー５はハンドル２２が露出されるハンドル露出用開口５１を設けているが、ハンドル２２も覆うように形成するものであっても良い。この場合は、透明板カバー５を取り外して分岐ブレーカや主幹ブレーカのハンドル２２を操作するものである。
【００２４】
また、開口部は主幹ブレーカに対応するものと、分岐ブレーカに対応するものとを分けて形成したが、全てを含む開口部としても良い。
【００２５】
また、分岐ブレーカと母線バーは、実施形態のようにプラグイン接続するものでも良いし、母線バーと分岐ブレーカの電源側端子部２１ａとをリードバーや電線などの配線で電気的に接続するものでも良い。この場合、透明板カバー５で電源側端子部２１ａと配線との接続状態を確認可能としている。
【００２６】
実施形態における開口部は、内扉が閉じた状態において、配電機器の負荷側端子と電源側端子の双方に臨むように形成されているが、負荷側端子と電源側端子のどちらか一方に臨むように形成しても良い。
【符号の説明】
【００２７】
１  分電盤
２  配電機器
３  内扉
５  透明板カバー
１１  箱本体
１２  開口
２１  端子部
２１ａ  電源側端子部
２１ｂ  負荷側端子部
２２  ハンドル
３１  開口部
５１  ハンドル露出用開口
５２  孔部
【図１】
2018129873.tif 000003
【図２】
2018129873.tif 000004
【図３】
2018129873.tif 000005
【図４】
2018129873.tif 000006
【図５】
2018129873.tif 000007
【図６】
2018129873.tif 000008
【図７】
2018129873.tif 000009
【図８】
2018129873.tif 000010
【図９】
2018129873.tif 000011